(57)【要約】      （修正有）【課題】器具の方向性感知を利用して１機能への自働切替可能な二重機能付きのキーパッドを有する手のひら器具に配置される切替装置を提供する。【解決手段】手のひら器具には一部のキーが二重機能をもつキーパッドがある。器具の切替装置に３つの座標軸に沿った器具の重力分布検知用の重力感知器２がある。この感知器は重力信号をコントローラ３に送り、このコントローラが配置される器具の方向を判定する。このコントローラは切替信号をキーパッド１１１に送る。二重機能付きキーはその後判定方向に対応した機能に切り替えられる。【選択図】図２
2010026622.tif 000002
【特許請求の範囲】
【請求項１】
重力方向の探知および重力信号の出力用のハウジングに配置される重力センサー、該重力センサーに電気接続される、前記重力信号の受け取り用兼重力信号による前記ハウジングの方向の判定後のキーパッドへの切替信号出力用の前記ハウジングに配置のコントローラが含まれる少なくとも一つのキーが二重機能をもつ前記ハウジング上にキーパッドを有する手のひら器具向けの方向感知による自動切替装置であって、その二重機能をもつ少なくとも１つのキーが前記コントローラからの前記切替信号のコントロール下にある前記ハウジングの判断方向に対応してどちらかの機能に切り替えられる自動切替装置。
【請求項２】
前記重力感知により３次元直交座標軸に沿う重力分布が検知される請求項１の切替装置。
【発明の詳細な説明】
【技術分野】
【０００１】
本発明は手のひらにのる電子器具であってなかでも特に二重機能キーを利用した手のひら装置に関する。
【背景技術】
【０００２】
バッテリーと半導体技術の大きな進歩とともに、移動電話、携帯マルチメディアプレイヤー（PMPs）、リモートコントロール、MPSプレイヤー、パーソナルデジタルアシスタント、デジタルカメラ、携帯GPS、電子辞書、マイクロソフトのビスタOS用に使用されるサイドショーデバイスなどといったとても多くの種類に手のひら器具が普及するようになった。ユーザーが個々の手のひら器具を動かしあるいは使用することは非常に面倒で不便である。従って、ツーインワン統合手法は、サイドショーデバイスとリモートコントロールの組合せあるいは移動電話とPMPの組合せといった多くの従来の手のひら器具において採用されている。通常、これらのツーインワン器具により２つのシステムを組み合わせたキーパッドが二重機能キーを利用して単独のキーパッドに配置される。つまり、キーパッドの一部またはすべてのキーには２つの独自なキー機能がある。例えば、標準コンピュータキーボードの右側にある数字キー部分には丁度二重機能キーがいくつかある。このようなデザインによりキーの数の低減が可能となる。しかしながら、二重機能キーがユーザーによって操作されるときには、ユーザーは他方のコントロールキー（通常、「第２機能」あるいは「シフト」と記される）を押してキー機能を頻繁に切り換えなくてはならない。ユーザーは次にそのキーの操作にあたって操作したいキーに第１または第２機能があることをチエックしなくてはならない。機能シフト操作は必要であればキーは希望される機能の実行が可能であるように前もって実行されなくてはならない。これはユーザーには極めて不便である。
【０００３】
現在、二重機能キーパッドの取り合わせを使用した一部の手のひら器具は２つのシステムを組み合わせるため鉛直あるいは水平方向別々に操作されるように設計される。例えば、セルラーフォンおよび手のひらゲームコンソールを組み合わせたツーインワン器具において、セルラーフォンと手のひらゲームコンソールは通常それぞれ鉛直および水平方向に操作される。しかしながら、その本体が異なる方向に回転される間に自動的にキー機能が切り替えられる製品は市場に出回っていない。
【発明の開示】
【０００４】
本発明の主たる目的は手のひら器具に関する方向の感知による自動キー機能切替装置を提供することにあり、これはユーザーがこれを回転させる以外に何ら追加の操作もしないで方向に対応した自動切替キー機能に対して手のひら器具の方向性の検知が可能である。これは二重機能キーパッドが設置された器具のユーザーにとって極めて便利であろう。
【０００５】
本発明の用途は一部のキーが二重機能をもつキーパッドを有する手のひら器具である。上述の目的を達成するために、本器具の切替装置には３次元座標軸に沿った器具が重力分布を検知するための重力センサーがある。このセンサーは重力信号をコントローラに送り、このコントローラが器具の配置される方向を判定する。コントローラは切替信号をキーパッドに送る。その後、二重機能付きのキーは判定方向に該当する片方の機能に切替られる。
【発明を実施するための最良の形態】
【０００６】
図１を参照すると、本発明の法則による二重機能キーパッドが設置された手のひら器具が示されている。本器具にはパネル11を含む立体形状ハウジング1がある。キーパッド111はパネル11上に装備される。表示装置112のようなその他の構成要素もまたパネル11上に追加して装備可能であるのは当然である。図１に示される手のひら器具は一例としてのセルラーフォンと手のひらゲームコンソールを組み合わせた本体であるが、この取り合わせや組合せに限定されない。キーパッド111には基本的数字キー0〜9および記号キー「＊」や「＃」が含まれ、この場合、数字キー「２」、「４」、「６」、「８」および記号キー「＊」、「＃」には手のひらゲームコンソール向けの第２機能があって、それぞれ方向コントロールキーおよびファイヤキーである第２機能がある。さらに、手のひら器具は、これがセルラーフォンの場合には鉛直方向に、ゲームコンソールである場合には水平方向に操作される。従って、第２機能のマーキング方向は第１機能のものとは異なる。
【０００７】
図２を参照すると本発明による好ましい実施例が示されている。２つの独立したシステム、すなわち、ハウジング1に第１システム1aおよび第２システム1bがある。キーパッド111は２つのシステム1a、1bによって共有される。３つの直交座標軸に沿った重力分布の検知可能な重力センサー2が、ハウジング1に設けられる。重力センサー2はコントローラ3に電気接続される。重力センサー2は３つの直交座標軸に沿った重力分布を反映する重力信号をコントローラ3まで送る。図２に示される実施例ではコントローラ3の出力端がキーパッド111に電気接続される。コントローラ3は重力センサー2からの重力信号によりハウジング1の方向（すなわち、鉛直かまたは水平）を判断してから、キーパッド111へ切替信号を出力して判定方向に対応する第１/第２機能に切り換える。図２に示される実施例について、ハウジング1が鉛直に保持されるときすべてのキーが数字と記号の機能をもつように切り換えられる一方で、キー「２」、「４」、「６」、「８」、「＊」、および「＃」は方向コントロールとファイヤの機能をもつように切り換えられる。
【０００８】
図３を参照して、手のひら器具のハウジング1が鉛直方向にある、すなわち、長さ方向軸が３次元座標系のz軸に平行であるかあるいはそのパネル11がx３次元直交座標軸系のx-z面に平行であるものと仮定しよう。
この時には、Z軸上で-gの重力は図３Aに示されるように検出されよう（重力はz軸の反対方向にあるため負の方向となる）。逆に、ハウジング1が図３Bに示されるように、x-z面上で90度の角度で回転されて水平姿勢となるとき、x軸はz軸の最初の姿勢に置き換えられると同時に、重力は完全にx軸に移動する。こうして、ｘ軸上の-gの重力が検知されよう。コンソール3によって本法則によりハウジング1が鉛直または水平であることが判定可能であるだけでなくさらに方向性に対応するようキーパッドの二重機能の切り替えが可能である。当然、上述の構成は鉛直あるいは水平であるハウジング1に伴う使用形態に適切である。本発明がその他の特別な使用形態で利用される場合の問題も座標軸の回転またはコントローラ3の判断標準の調整によって簡単に解決可能である。
【０００９】
本発明は、ユーザーが手のひら器具を回転させている場合に手動切替なしでハウジング1の方向により二重機能付きのキーパッドの自動切替が可能である。従って、これはユーザーにとり極めて便利が良い。
【００１０】
本発明のある実施例が説明された。しかしながら、様々な変更が本発明の精神と範囲から逸脱しないでなされうることが理解されよう。従って、次の請求項の範囲こそその他の実施例類である。
【図面の簡単な説明】
【００１１】
【図１】発明の法則に応じた二重面キーパッドが設置された手のひら器具図を示す。
【図２】本発明の法則による実施例の区分概要図を示す。
【図３】本発明による方向判定法則を示すグラフを示す。
【図１】
2010026622.tif 000003
【図２】
2010026622.tif 000004
【図３】
2010026622.tif 000005